(57)【特許請求の範囲】
【請求項１】
被覆電線を押し込むことでその被覆部分に切り込んで内部の導線部分と電気的に連結する圧接部と相手側の雌側端子金具に連結可能なタブ部とを設けてなる雄側端子金具を、高さ方向へ二段、組み込み可能に形成された端子収容部と、この端子収容部の前端から前記各タブを突出させこれら各タブを取り囲むような筒状に形成されたフード部とからなるハウジングを有し、かつこのハウジングを、前記圧接部を露出させつつ雄側端子金具の各段毎に分割されるように、前記フード部から端子収容部にかけて分割面を設けるとともに、これら分割された各段を相互に連結可能としてなる圧接コネクタであって、
前記分割面は前記フード部の開口端から前記端子収容部の後端に至るまで水平に設けられることで、前記ハウジングは上下に分割され、かつ前記各段毎のタブ部が少なくとも三方向から各タブ部よりも高い前記フード部の壁面によって囲まれるよう分割されていることを特徴とする圧接コネクタ。
【発明の詳細な説明】
【０００１】
【発明の属する技術分野】
本発明は、雄側端子金具を収容する圧接コネクタに関する。
【０００２】
【従来の技術】
図１５及び図１６には、特開平２−１４８５８３号に開示された圧接コネクタ１００を示した。この圧接コネクタ１００には、アウタ部材１０１と、このアウタ部材１０１に収容可能な二つのインナ部材１０２とが備えられている。アウタ部材１０１の前側には、相手側の雌コネクタ（図示せず）を収容可能なフード部１０３が備えられており、その後方にはインナ部材１０２を収容可能な組付部１０４が備えられている。組付部１０４の上部後方には、雄側の端子金具１０５を収容可能な端子収容室１０６が形成されている。
また、インナ部材１０２には、同様に端子金具１０５を収容可能な端子収容室１０６が形成されている。また、圧接コネクタ１００には、これら両部材１０１，１０２の他に、両部材１０１，１０２を連結保持しておくためのロック部材１０７が備えられている。
【０００３】
このように構成された圧接コネクタ１００を組付けるには、まず、各端子収容室１０６に端子金具１０５を収容した後に、インナ部材１０２を組付部１０４に装着し、ロック部材１０７により両部材１０１，１０２を連結する。組付けが完了した圧接コネクタ１００では、フード部１０３の内部に、端子金具１０５のタブ部１０５Ａが収容されている。
【０００４】
【発明が解決しようとする課題】
ところで、従来の圧接コネクタ１００の組付けが完了した後に、メンテナンス等のために端子金具１０５を取り替える場合がある。そのような場合には、上記した組付け手順を逆にして、まずロック部材１０７の係合を解除した後、インナ部材１０２を組付部１０４から取り外す。
【０００５】
このときには、インナ部材１０２に収容された端子金具１０５のタブ部１０５Ａは外部に露出した状態となる。タブ部１０５Ａは細い突起状のものであるため、このように剥き出しのままであると、異物の接触によって変形や破損のおそれがある。
【０００６】
本発明は、上記事情に鑑みてなされたもので、その目的は、分割された状態でのコネクタハウジングにおいても、雄側端子金具のタブ部を保護しうる圧接コネクタを提供するところにある。
【０００７】
【課題を解決するための手段】
上記の課題を解決するための請求項１の発明に係る圧接コネクタは、被覆電線を押し込むことでその被覆部分に切り込んで内部の導線部分と電気的に連結する圧接部と相手側の雌側端子金具に連結可能なタブ部とを設けてなる雄側端子金具を、高さ方向へ二段、組み込み可能に形成された端子収容部と、この端子収容部の前端から前記各タブを突出させこれら各タブを取り囲むような筒状に形成されたフード部とからなるハウジングを有し、かつこのハウジングを、前記圧接部を露出させつつ雄側端子金具の各段毎に分割されるように、前記フード部から端子収容部にかけて分割面を設けるとともに、これら分割された各段を相互に連結可能としてなる圧接コネクタであって、前記分割面は前記フード部の開口端から前記端子収容部の後端に至るまで水平に設けられることで、前記ハウジングは上下に分割され、かつ前記各段毎のタブ部が少なくとも三方向から各タブ部よりも高い前記フード部の壁面によって囲まれるよう分割されていることを特徴とする。
【０００９】
【発明の作用および効果】
請求項１の発明によれば、分割されたハウジングに雄側端子金具が収容されている状態においても、異物がハウジングの分割方向から接近しても、フード部の各壁面がタブよりも高い位置にあるため、異物はフード部の壁面に当接してタブ部との直接の接触が回避される。
【００１１】
【発明の実施の形態】
＜第１実施形態＞
次に、本発明の第１実施形態について、図１〜図８を参照しつつ詳細に説明する。なお、以下においては、図１に示す方向により上下方向を記載する。
【００１２】
図１に示すように、本実施形態の圧接コネクタ１には、上下二つのハウジング２，３と蓋体部４とが備えられている。両ハウジング２，３は、前端から後端に掛けて、上下のほぼ中間位置を水平に分割して成形されている。
【００１３】
まず、この圧接コネクタ１に収容される雄側端子金具１３について説明する。雄側端子金具１３は、図２等に示すように、導電性板材を折曲げ加工されてなり、図示しない相手側の雌端子金具に連結可能とされている。この雄側端子金具１３は、被覆された電線１４が上方から圧接されることにより、芯線へと切り込んで電線１４と雄側端子金具１３との電気的接続がなされるため、圧接端子金具と称される。雄側端子金具１３の前方には、相手側の雌端子金具に連結可能なタブ部１５が突設されている。このタブ部１５の後方には、雄側端子金具１３をハウジング２，３に抜止めしておくための撓み片１６が撓み変形可能に形成されている。さらに、撓み片１６の側部の一端側（図２において、手前側）は、上方に折り曲げられて係合片１６Ａとされている。また、雄側端子金具１３の左右両側部には、一対の側壁１７が折り立てられている。この両側壁１７の間には、撓み片１６が設けられている側に、電線１４を挿入するための電線挿入溝１８が開放されている。また、両側壁１７の後方には、電線１４をかしめ付ける左右一対のバレル１９が前後方向にずれた位置に突設されている。さらに、両側壁１７の中央位置には、前後に一対の圧接部２０が電線挿入溝１８側に切り起こされている。各圧接部２０は、両側壁１７に対称的に設けられており、両圧接部２０の先端に対向する溝の幅は、電線１４の被覆部分よりも小さくされている。また、圧接部２０の先端には刃部が形成されており、電線挿入溝１８に電線１４を押し込むと、圧接部２０により被覆部分が切り込まれる。すると、電線１４の内部にある芯線部分と圧接部２０とが接触し、電線１４と雄側端子金具１３とが電気的に接続される。
【００１４】
次に、ハウジング２，３について説明する。上下のハウジング２，３は連結可能に構成されており、両ハウジング２，３が連結するとフード部５，６が角筒状となり、図示しない相手側の雌ハウジングと嵌合可能となる。
上側のハウジング２は、合成樹脂により一体に成形されており、その前部には前方と下方とへ開口する上側フード部５を備え、後部には雄側端子金具１３を収容するための端子収容部７を備えている。上側フード部５は、左右両壁面５Ａと上壁面５Ｂとの三方の壁面５Ａ，５Ｂにより構成されている。これら三方の壁面５Ａ，５Ｂは、タブ部１５の厚みよりも充分に高く形成されている。また、左右両壁面５Ａの下端部分には、下側フード部６との係合を行うための係合部１０が備えられている。この係合部１０は、壁面５Ａの肉厚の半分の厚みをもって内側縁において壁面５Ａのほぼ全長に沿って垂下されており、後述する係合部１１と適合しかつ係合可能とされている。係合部１０の下端には、壁面５Ａの外側に向かって爪部１０Ａが設けられている。また、各係合部１０は、上側フード部５の内側方向への若干の撓み変形が可能とされている。
【００１５】
上側ハウジング２の裏面（内面）において、フード部５の後方には、図２に示すように、左右両側に側壁１２が設けられており、この両側壁１２の間には、端子収容部７が形成されている。両側壁１２の間は、均等幅で前後方向に突設した区画壁７Ａにより複数の室に区画されており、各区画部分が雄側端子金具１３を収容する端子収容部７とされる。端子収容部７の前側には、両側壁１２を横架するようにして蓋部２１が備えられている。この蓋部２１には、各端子収容部７の右側の区画壁７Ａの左面側に沿って係合溝２１Ｂが形成されている。係合溝２１Ｂは、蓋部２１の前方から中央やや後方まで、蓋部２１を上下に貫通し、かつ蓋部２１の後端部分を残した状態で形成されている。また、蓋部２１の後端面には、係合片１６Ａを係合溝２１Ｂに円滑に導くための導入溝２１Ｃが凹設されている。この係合溝２１Ｂは、雄側端子金具１３の係合片１６Ａの位置に合わせて形成されている。また、係合溝２１Ｂの後端縁が抜止部２１Ａとされ、雄側端子金具１３の係合片１６Ａの後端が抜止部２１Ａに係合することで、雄側端子金具１３が抜止めされる。
【００１６】
また、端子収容部７の前端とフード部５との境界部分には、蓋部２１から連続して仕切壁２２が形成されているおり、雄側端子金具１３の先端の位置決めを行う。また、この仕切壁２２には、雄側端子金具１３のタブ部１５の挿入を許容するタブ孔２２Ａが設けられている（図５等を合わせて参照）。雄側端子金具１３が端子収容部７に収容されたときには、タブ部１５はタブ孔２２Ａから上側フード部５内に進入する。このとき、上側フード部５の下端縁はタブ部１５の厚さよりも下側まで設けられており、タブ部１５は上側フード部５の壁面５Ａ，５Ｂにより三方を囲まれた状態となる。また、上側フード部５の先端位置は、タブ部１５の先端位置よりも前方まで設けられている。
【００１７】
また、左右側壁１７の後端部分には、両ハウジング２，３を係合するための係合部としての係合爪２３が形成されている。係合爪２３は、側壁１７の後部を外側から約半分程度の厚さまで凹ませて凹み部２３Ａを形成し、この凹み部２３Ａの中央に側壁１７の外面まで突設させるようにして形成されている。この係合爪２３は、下側のハウジング３に設けられた係合部である爪受け部２４に対して解離可能に係合することができる。
【００１８】
次に、下側ハウジング３について説明する。下側ハウジング３は樹脂により一体に成形されており、その前方には前方及び上方へ開口する下側フード部６が設けられている。この下側フード部６は、左右の壁面６Ａと下壁面６Ｂとにより三方を囲うようにされている。また、左右壁面６Ａの上端部分には、上側フード部５との係合を行うための係合部１１が備えられている。この係合部１１は、壁面６Ａの約半分の肉厚を備え、壁面６Ａのほぼ全長に渡って上方に起立形成されている。この係合部１１Ａの上端には、壁面６Ａの内側に向かって爪部１１Ａが設けられている。この爪部１１Ａは、上側ハウジング２の爪部１０Ａと係合可能となるように形成されている。また、係合部１１は下側フード部６の外側方向に撓み変形可能とされている。この係合部１１は、上側フード部５の係合部１０と係合して、上下フード部５，６を連結する。
【００１９】
また、下側ハウジング３の上面後部には、上側ハウジング２の各端子収容部７に組合わされて、雄側端子金具１３の保持力を強化するための構成が設けられている。すなわち、下側ハウジング３の後端部において、上側ハウジング２の左右両壁面５Ａの間に位置するところは、その他の部分よりも一段高く形成されており、ここには区画壁７Ａの先端を受け入れるための区画用溝２５が凹設されている。区画用溝２５の前端位置には、電線１４の外径に合わせて湾曲された押さえ面２６Ａを備えた電線保持部２６が突設されている。この電線保持部２６は、雄側端子金具１３の両側壁１７の後端位置付近において、電線１４を押さえつけるようになっている。また、電線保持部２６の前側には、区画壁７Ａの位置に合わせたところに区画壁２７が設けられている。上下の区画壁７Ａ，２７が当接することで、各端子収容部７の中央から後部が角筒状に区画される。
【００２０】
また、各区画壁２７の中間位置には、前後方向に電線押さえ部２８が設けられている。この電線押さえ部２８は、区画壁２７よりも高く突設されており、その後部は幅広く形成された幅広部２８Ａとされている。電線押さえ部２８は、雄側端子金具１３の電線挿入溝１８の内側に位置して、電線１４を押さえ付ける。また、幅広部２８Ａは、雄側端子金具１３の後側の圧接部２０よりも、後方に位置するようになっている。また、下側ハウジング３の後端両側部には、左右一対の爪受け部２４が上方に突設されている。爪受け部２４の中央には上側ハウジング２の係合爪２３を係合可能な係合孔２４Ａが設けられているとともに、この爪受け部２４は外側方向に僅かに撓み変形可能とされている。また、下側ハウジング３の裏面側において、後端両側部には、左右一対の係合爪２９が形成されている。この係合爪２９は、下側ハウジング３と蓋体部４とを係合するためのものである。係合爪２９は、上側ハウジング２の係合爪２３と同様の構成として形成されている。すなわち、側壁３０を外側から削り込んで肉薄状の平坦面２９Ａとして形成し、この平坦面２９Ａの中央に側壁３０の外面まで突設させるようにして形成されている。係合爪２９は、蓋体部４に設けられた爪受け部３１に係合可能とされている。
【００２１】
また、下側ハウジング３の裏面側には、上側ハウジング２の端子収容部７と同様の構成の端子収容部３２が形成されている。すなわち、両側壁３０の間を均等間隔に区切るように区画壁３３が形成されており、各区画部分が端子収容部３２とされている。この端子収容部３２の中央から後方に掛けては、下方に開放しつつ形成されている一方、端子収容部３２の前部には、左右の側壁３０を連結する蓋部３４が設けられている。この蓋部３４には、雄側端子金具１３の係合片１６Ａを受け入れる係合溝３４Ｂが、蓋部３４の前方から中央後方位置まで凹設されている。また、係合溝３４Ｂの後端は、蓋部３４の後部で途切れており、この蓋部３４が残された部分が抜止部３４Ａとされている。抜止部３４Ａの前端には、係合片１６Ａの後端縁が係合することで、雄側端子金具１３が抜止めされる。また、端子収容部３２の前端には、下側フード部６との境目に仕切壁３５が設けられており、ここにはタブ部１５の挿通を許容するタブ孔３５Ａが貫通している。端子収容部３２に雄側端子金具１３が収容されたときには、タブ部１５の先端は下側フード部６の各壁面６Ａ，６Ｂによって三方を囲まれた状態となる。
【００２２】
次に、蓋体部４について説明する。蓋体部４は樹脂により一体に成形されており、下側ハウジング３の端子収容部３２が開放する部に覆い付けられる。蓋体部４の上面側には、下側ハウジング３の上面側と同様な構成が備えられている。すなわち、蓋体部４の後端部分において、下側ハウジング３の両側壁３０の間に位置する部分は、その他の部分よりも一段高く形成されており、ここには区画壁２７を受け入れ可能な区画用溝３６が凹設されている。区画用溝３６の前端位置には、電線１４の外径に合わせた押さえ面３７Ａを備えた電線保持部３７が突設されており、雄側端子金具１３の両側壁１７の後端位置よりも後方において、電線１４を押さえつける。また、電線保持部３７の前側には、区画壁２７の位置に合わせて区画壁３８が設けられている。各区画壁３８の中央位置には、電線押さえ部３９が突設されている。この電線押さえ部３９は、区画壁３８よりも高く突設され、その後部には幅広部３９Ａが形成されている。また、電線押さえ部３９の先端部分は、その上部のみが先端に向かって突設されて、係合端４０とされている。この係合端４０は、下側ハウジング３の蓋部３４の後端縁に係合して、蓋体部４の前方を下側ハウジング３に係合保持する。また、電線押さえ部３９は、雄側端子金具１３の電線挿入溝１８の内側に位置して電線１４を押さえる。このとき幅広部３９Ａは、後方の圧接部２０より後ろに位置する。また、蓋体部４の後端両側部には、左右一対の爪受け部３１が突設されている。爪受け部３１は蓋体部４の外側方向に僅かに撓み変形可能とされているとともに、その中央には下側ハウジング３の係合爪２９を係合可能な係合孔３１Ａが凹設されている。
【００２３】
次に、上記のように形成された第１実施形態の作用及び効果について説明する。まず、上側ハウジング２の端子収容部７に雄側端子金具１３を装着する。雄側端子金具１３の係合片１６Ａが蓋部２１の抜止部２１Ａに当接するため、撓み片１６全体を弾性変形させながら押し入れる。係合片１６Ａが係合溝２１Ｂに係合すると、撓み片１６が復帰変形して、係合片１６Ａが抜止部２１Ａの前端縁に係合し、雄側端子金具１３が端子収容部７の正規位置に抜止め状態で装着される。このとき、雄側端子金具１３のタブ部１５はタブ孔２２Ａからフード部５側に進入している。また、この状態では、側壁面５Ａはタブ部１５の厚さよりも高い位置に形成されているため、異物が下方から接近しても、異物はフード部５の壁面５Ａに当接してタブ部１５との直接の接触が回避される。また、フード部５の前端は、タブ部１５の先端よりも前方まで形成されているため、タブ部１５の前方から異物が接近しても、タブ部１５と異物との直接の接触は回避される。
【００２４】
次に、上側ハウジング２の上下をひっくり返して、雄側端子金具１３の電線挿入溝１８を上方に開放した状態としておき、電線１４を電線挿入溝１８に押し入れる。すると、圧接部２０が電線１４の被覆を切欠き、内部の芯線部分と電気的に接触する。また、このときには、バレル１９が電線１４を抱きかかえるようにして折り曲げられ、電線１４と雄側端子金具１３との連結が完了する。
【００２５】
次に、下側ハウジング３の端子収容部３２にも、上記と同様にして雄側端子金具１３を収容する。雄側端子金具１３が正規位置まで押し込められると、係合片１６Ａが抜止部３４Ａの前端に係合して、雄側端子金具１３が抜止め保持される。また、このときタブ部１５は仕切壁３５のタブ孔３５Ａからフード部６側に進入している。この状態では、側壁面６Ａはタブ部１５の厚さよりも高いところまで形成されているため、異物が上方から接近しても、異物はフード部６の壁面６Ａに当接するため、タブ部１５との直接の接触が回避される。また、フード部６の前端は、タブ部１５の先端よりも前方位置まで形成されているため、タブ部１５の前方から異物が接近しても、タブ部１５と異物との直接の接触が回避できる。
【００２６】
次に、下側ハウジング３の上下をひっくり返して、雄側端子金具１３の電線挿入溝１８に電線１４を押し入れると、上記した上側ハウジング２の場合と同様に、圧接部２０と電線１４の芯線部分とが電気的に接続する。また、このとき、バレル１９により、電線１４と雄側端子金具１３との連結がなされる。
【００２７】
次に、上側ハウジング２と下側ハウジング３とを組付ける。フード部５，６においては、両係合部１０，１１が僅かに撓み変形しながら互いの爪部１０Ａ，１１Ａを乗り越え、復帰変形することで両係合部１０，１１が係合する。また、このときハウジング２，３の後部においては、係合爪２３と爪受け部２４とが係合する。つまり、両ハウジング２，３の組付け操作に伴って、係合爪２３と爪受け部２４とが当接し、爪受け部２４を僅かに外側に撓ませながら組付けが進行する。係合爪２３が係合孔２４Ａに係合すると、爪受け部２４が復帰変形して、係合爪２３が爪受け部２４に係合する。
【００２８】
次に、蓋体部４を下側ハウジング３に組付ける。蓋体部４の前端を下側ハウジング３に傾けるようにして、係合端４０を蓋部３４の内部に挿入しつつ、蓋体部４の後部を下側ハウジング３に押し付ける。すると、係合爪２９が爪受け部３１に当接するため、爪受け部３１を僅かに外側に撓ませながら組付けが行われる。係合爪２９が係合孔３１Ａに係合すると、爪受け部３１が復帰変形して、蓋体部４と下側ハウジング３との組付け操作が終了する。
このようにして、圧接コネクタ１の組付け作業が完了する。
【００２９】
＜参考例＞
次に、本発明の参考例について、図９〜図１４を参照しつつ説明する。なお、本参考例と第１実施形態とにおいて、同一の構成には、同一の符号をして説明を省略する。なお、図９に示した方向により、上下方向を記載する。
【００３０】
本参考例の圧接コネクタ５０は、上側ハウジング５１と下側ハウジング５２、及び蓋体部４が備えられている。
【００３１】
上側ハウジング５１と下側ハウジング５２とは、その後部側は、第１実施形態における上側ハウジング２と下側ハウジング３と同様に、ほぼ上下の中間位置で分割されている。一方、前部側において、フード部５３，５４の分割のされ方が異なっている。すなわち、上側ハウジング５１のフード部５３は、第１実施形態の上側ハウジング２のフード部５の前端位置よりも後ろに寄ったところで分割されている。つまり、フード部５３は、左右両側壁面５３Ａと上壁面５３Ｂとの三方を取り囲むようにして形成されている。また、フード部５３の先端位置は、端子収容部７に雄側端子金具１３が装着されたときに、そのタブ部１５の先端よりも前方位置まで設けられている。
【００３２】
また、下側ハウジング５２のフード部５４は、上側のフード部５３の先端位置までは、左右両側壁面５４Ａと下壁面５４Ｂとの三方を取り囲むようにして形成されている。そして、そこから前方位置では、上記の側壁面５４Ａと下壁面５４Ｂとに加えて、上側のフード部５３の上壁面５３Ｂ及び左右両側壁面５３Ａの位置に合わせた壁面部分が形成されている。このため、下側フード部５４の前方位置は、上下左右の壁面が連結した枠状の構成とされている。このように形成された下側ハウジング５２の端子収容部３２に雄側端子金具１３が収容されると、そのタブ部１５は左右側壁面５４Ａと下壁面５４Ｂとによって、三方を取り囲まれることとなる。
【００３３】
また、両フード部５３，５４を係合する構成として、左右一対の係合部５５Ａ，５６が設けられている。上側のフード部５３の左右側壁面５３Ａの下端部分において、内側部分がフード部５３の厚みの約半分程度の肉厚となるように突設されて凹み面５５が形成され、この凹み面５５に爪状の係合部５５Ａが突設されている。凹み面５５は僅かに内側方向に撓み変形可能とされている。
【００３４】
下側フード部５４には、左右側壁面５４Ａの上端部分に、側壁面５４Ａの約半分程度の肉厚で、側面５４Ａの前後方向に沿って係合部５６が突設されている。この係合部５６の上端部分には、内側に向かって爪部５６Ａが形成されている。この爪部５６Ａは、上側の凹み面５５の係合部５５Ａに係合可能とされている。また、係合部５６は、僅かに外側に向かって撓み変形可能とされている。
【００３５】
上記のように形成された本参考例においても、第１実施形態と同様の効果を奏することができる。
【００３６】
また、本参考例においては、フード部の前部が上下左右が連結した状態で形成されている。フード部には、相手側の雌コネクタハウジング（図示せず）が収容されてくるため、上下左右に連結して構成されている方が、強度的に好ましい。このように、本参考例では、フード部の前方が強化されている。
【００３７】
本発明は前記実施形態に限定されるものではなく、各種に変形して実施することができる。
【図面の簡単な説明】
【図１】第１実施形態における圧接コネクタの組付け前の斜視図
【図２】上側ハウジングの裏面を示す斜視図
【図３】圧接コネクタの組付け前の正面図
【図４】圧接コネクタの組付け前の側面図
【図５】圧接コネクタの組付け前の側断面図
【図６】圧接コネクタの正面図
【図７】圧接コネクタの側面図
【図８】圧接コネクタの側断面図
【図９】  参考例における圧接コネクタの組付け前の斜視図
【図１０】上側ハウジングの裏面を示す斜視図
【図１１】圧接コネクタの組付け前の側面図
【図１２】圧接コネクタの組付け前の側断面図
【図１３】圧接コネクタの側面図
【図１４】圧接コネクタの側断面図
【図１５】従来例における圧接コネクタの斜視図
【図１６】図１５におけるＡ−Ａ断面図
【符号の説明】
１，５０…圧接コネクタ
２，３，５１，５２…ハウジング
５，６，５３，５４…フード部
７，３２…端子収容部
１３…雄側端子金具
１４…電線
１５…タブ部
２０…圧接部
【図１】
0003680976.tif 000002
【図２】
0003680976.tif 000003
【図３】
0003680976.tif 000004
【図４】
0003680976.tif 000005
【図５】
0003680976.tif 000006
【図６】
0003680976.tif 000007
【図７】
0003680976.tif 000008
【図８】
0003680976.tif 000009
【図９】
0003680976.tif 000010
【図１０】
0003680976.tif 000011
【図１１】
0003680976.tif 000012
【図１２】
0003680976.tif 000013
【図１３】
0003680976.tif 000014
【図１４】
0003680976.tif 000015
【図１５】
0003680976.tif 000016
【図１６】
0003680976.tif 000017